(57)【要約】  ユーザ端末は、第１のセルに用いられる第１の主同期信号と、第２のセルに用いられる第２の主同期信号とを受信する受信部と、前記第１の主同期信号の受信タイミングを推定し、前記第１の主同期信号の系列を推定する第１の相関検出部と、前記第２の主同期信号と、前記第２の主同期信号の挿入間隔だけ遅延した信号との相関電力から、前記第２の主同期信号の受信タイミングを推定する第２の相関検出部と、前記第１の主同期信号の受信タイミングに基づいて、前記第１のセルの周波数オフセットを推定する第１の周波数オフセット推定部と、前記第２の主同期信号の受信タイミングに基づいて、前記第２のセルの周波数オフセットを推定し、前記第２の主同期信号の系列を推定する第２の周波数オフセット推定部とを有する。
2018225190.tif 000002
【特許請求の範囲】
【請求項１】
第１のキャリア周波数を用いる第１のセルと、当該第１のキャリア周波数より高い第２のキャリア周波数を用いる第２のセルとを有する無線通信システムにおいて用いられるユーザ端末であって、
前記第１のセルに用いられる第１の主同期信号と、前記第２のセルに用いられる第２の主同期信号とを受信する受信部と、
前記第１の主同期信号と前記第１の主同期信号のレプリカ信号との相関電力から、前記第１の主同期信号の受信タイミングを推定し、前記第１の主同期信号の系列を推定する第１の相関検出部と、
前記第２の主同期信号と、前記第２の主同期信号の挿入間隔だけ遅延した信号との相関電力から、前記第２の主同期信号の受信タイミングを推定する第２の相関検出部と、
前記第１の主同期信号の受信タイミングに基づいて、前記第１のセルの周波数オフセットを推定する第１の周波数オフセット推定部と、
前記第２の主同期信号の受信タイミングに基づいて、前記第２のセルの周波数オフセットを推定し、前記第２の主同期信号の系列を推定する第２の周波数オフセット推定部と、
を有するユーザ端末。
【請求項２】
前記第１の主同期信号及び前記第２の主同期信号のうち相関電力が大きい主同期信号を用いるセルを選択するセル選択部と、
前記選択されたセルの主同期信号を用いて副同期信号の系列及び無線フレームタイミングを検出する副同期信号系列検出部と、
を更に有する、請求項１に記載のユーザ端末。
【請求項３】
前記第２の周波数オフセット推定部は、
相関電力が最大となる前記第２の主同期信号の受信タイミングにおいて、前記第２の主同期信号と、前記第２の主同期信号の挿入間隔だけ遅延した信号との自己相関値の同相成分及び直交成分から、部分的な周波数オフセットを推定し、
前記推定された部分的な周波数オフセットから生成された複数の周波数オフセット候補を用いて、前記第２の主同期信号の周波数オフセットを補償し、
前記複数の周波数オフセット候補を用いて周波数オフセットを補償した前記第２の主同期信号と、前記第２の主同期信号のレプリカ信号との相関電力から、前記第２のセルの周波数オフセットを推定し、前記第２の主同期信号の系列を推定する、請求項１又は２に記載のユーザ端末。
【請求項４】
前記第１の周波数オフセット推定部は、
前記第１の主同期信号の受信タイミングを用いて、前記第１の主同期信号及び前記第１の主同期信号のレプリカ信号を複数のブロックに分割し、分割されたブロックの前半及び後半における前記第１の主同期信号と前記第１の主同期信号のレプリカ信号との部分相関を計算し、
前記計算された前半及び後半における部分相関を用いて位相回転量を計算し、
前記計算された位相回転量から前記第１のセルの周波数オフセットを推定する、請求項１乃至３のうちいずれか１項に記載のユーザ端末。
【請求項５】
第１のキャリア周波数を用いる第１のセルと、当該第１のキャリア周波数より高い第２のキャリア周波数を用いる第２のセルとを有する無線通信システムにおいて用いられるユーザ端末におけるセルサーチ方法であって、
前記第１のセルに用いられる第１の主同期信号を受信するステップと、
前記第１の主同期信号と前記第１の主同期信号のレプリカ信号との相関電力から、前記第１の主同期信号の受信タイミングを推定し、前記第１の主同期信号の系列を推定するステップと、
前記第１の主同期信号の受信タイミングに基づいて、前記第１のセルの周波数オフセットを推定するステップと、
前記第２のセルに用いられる第２の主同期信号を受信するステップと、
前記第２の主同期信号と、前記第２の主同期信号の挿入間隔だけ遅延した信号との相関電力から、前記第２の主同期信号の受信タイミングを推定するステップと、
前記第２の主同期信号の受信タイミングに基づいて、前記第２のセルの周波数オフセットを推定し、前記第２の主同期信号の系列を推定するステップと、
を有するセルサーチ方法。
【発明の詳細な説明】
【技術分野】
【０００１】
本発明は、ユーザ端末及びセルサーチ方法に関する。
【背景技術】
【０００２】
Long Term Evolution（LTE）の下りリンクでは、直交周波数分割多重アクセス（OFDMA：Orthogonal Frequency Division Multiple Access）が採用されている。一方、ユーザ端末（UE：User Equipment）は、電源立ち上げ時、すなわち物理チャネルのセットアップ時に、無線リンクを接続するセルのIDをサーチするセルサーチを行う。LTEでは、セルIDは、物理セルID（PCID：Physical Cell ID）と呼ばれているため、以下では、PCIDと称する。LTEではセルサーチを行うために、OFDMAに適した階層型同期信号が規定されている。同期信号は主同期信号（PSS：Primary Synchronization Signal）及び副同期信号（SSS：Secondary Synchronization Signal）から構成されている。【０００３】
セルサーチの第１ステップにおいて、UEはPSSを用いて、最も受信電力の大きなセルサイトから送信されたPSSの受信タイミングを検出する。次に、第２ステップにおいて、UEはSSSを用いてセルIDグループ及び無線フレームタイミングを検出する。【０００４】
図１に時間領域のPSS及びSSSの多重構成を示す。LTEの無線インタフェースでは、10ms長の無線フレームは1ms長の10個のサブフレームから構成される。さらに、1つのサブフレームは、0.5ms長の2つのスロットから構成される。PSSは、無線フレーム内の1番目及び11番目のスロットの最終OFDMシンボルに多重される。また、SSSは、PSSと隣接する最終から2番目のOFDMシンボルに多重される。また、LTEの無線インタフェースでは、周波数領域において15kHz間隔の複数のサブキャリアが用いられる。例えば、5MHzのシステム帯域幅の場合には、当該システム帯域幅は、15kHzのサブキャリア間隔を有する300個のサブキャリアから構成される。【０００５】
図２に周波数領域のPSS及びSSSの多重構成を示す。周波数領域では、PSS及びSSSは基地局の送信帯域幅に拘わらず、基地局の送信帯域の中心の63個のサブキャリアから構成される945kHz帯域で送信される。Universal Mobile Telecommunications System （UMTS）に割り当てられている周波数スペクトルの100kHzラスタの周波数上にPSS及びSSSの中心周波数を配置する。周波数領域では、PSS系列は中心のDCサブキャリアを除く、62個のサブキャリアに連続して多重される。一方、2つのSSS系列、すなわちSecond Synchronization Code 1（SSC1）及びSSC2は、PSSが多重されている62個のサブキャリアに1サブキャリア毎に交互に多重される。【０００６】
一方、近年、移動通信ネットワークにおいて飛躍的に増大する不均一な分布を有するトラヒックを効率的に収容するため、ピコセルなどの小セルにマクロセルがオーバーレイされたヘテロジーニアスネットワークの検討が行われている。ヘテロジーニアスネットワークでは、ホットスポット、大規模ホール、ショッピングモールなどのトラヒックが高い場所に小セルを設置することにより高速レートサービスを要求するUEを効率的に収容できる。マクロセルは、主にカバレッジを重視し、低速移動から高速移動のUEにカバレッジを保証する。一方、小セルは、主に低速移動のUEに対して、高速レートのサービスを提供する。【０００７】
さらに、マクロセルとマクロセル内に展開した小セルを光ファイバで接続し、小セルの制御、無線リソース割り当て、物理レイヤの処理を、マクロセルで行なうネットワーク構成が用いられている。小セルには、アナログ無線回路で構成される無線機のみが設置される。無線機のみから構成されている基地局構成は、Remote Radio Head（RRH）、あるいは、Remote Radio Equipment（RRE）と呼ばれている。小セルの送信部及び受信部のベースバンド処理は、マクロセルで行なう。従って、マクロセルの送信部では、変調後の同相（In-phase）及び直交（Quadrature）信号をAD変換器でディジタル信号に変換し、さらに、E/O変換器で、光信号に変換し、光ファイバでマクロセルから小セルに送信する。小セルでは、光信号をO/E変換器で電気信号に変換し、さらにD/A変換器でアナログのI/Q信号に変換して、RF送信信号を生成する。あるいは、直交変調器をディジタル処理で行い、直交変調後のIF（Intermediate Frequency）信号をD/A変換器でアナログ信号に変換して、RF送信信号を生成する構成もある。同様に小セルでの受信信号は、直交検波器でアナログのI/Q信号を生成し、このI/Q信号をAD変換器でディジタル信号に変換後、E/O変換器で光信号に変換し、光ファイバでマクロセルに送信する。復調以降の処理は、マクロセル基地局に設置された集中基地局で行なう。このように、小セルにRRHを用いるネットワーク構成では、マクロセルと小セル間で無線リソースの一元的な割り当てが実現できる。【０００８】
非特許文献１にヘテロジーニアスネットワークの典型的な展開シナリオが規定されている。シナリオ#1は、マクロセルと屋外小セル間で同一の周波数スペクトルを用いる構成である。また、マクロセルと屋外あるいは屋内小セル間で異なる周波数スペクトルを用いるシナリオが、それぞれ#2a及び#2bとして規定されている。異なる周波数スペクトルを用いるシナリオは、小セルがマクロセルからの大きな干渉を受けないため、高トラヒック密度の地域により柔軟に小セルを配置できる。小セルは、トラヒックが高い小セルクラスタ内に高密度に配置される。小セルクラスタ内の複数の小セルは、同一の周波数スペクトルを用いるため、周辺の小セルからの干渉に起因して、小セルのスループットが低減してしまう。そこで、トラヒックの低い小セルの送信をOFFにする小セルのON/OFF制御が提案され、3GPPのRelease 12仕様に採用されている。この場合、送信OFFの小セルでは、セル固有の参照信号（CS-RS：Cell-Specific Reference Signal）、PSS及びSSSの同期信号、システム固有及びセル固有の制御情報を含めて、全ての信号の送信をOFFにする。送信OFFの小セルはPSS及びSSSも送信しないため、UEは、周辺セルサーチの場合、送信をOFFにした小セルを検出できなくなってしまう。そこで、3GPP Release 12仕様では、送信OFFの小セルに対して、UEが高速且つ高精度にセルを検出できるようにするディスカバリ信号（DS：Discovery Signal）が規定されている。
【先行技術文献】
【非特許文献】
【０００９】
【非特許文献１】3GPP TS36.872 (V12.1.0), "Small cell enhancements for E-UTRA and E-UTRAN - Physical layer aspects," Dec. 2013.
【非特許文献２】N. Noguchi, M. Sawahashi, S. Nagata, and Y. Kishiyama, "Initial Cell Search Method Based on Two-Step Frequency Offset Estimation for Small Cells in Heterogeneous Networks," Proc. IEEE VTC2016-Fall, Sept. 2016.
【発明の概要】
【発明が解決しようとする課題】
【００１０】
セルサーチにおいてUEが最初に受信及び復調する物理チャネルはPSSである。PSS系列にはZadoff-Chu系列が用いられる。従って、UEが容易にPSSを復調できるようにするため、PSS系列は基本的に全てのセルで共通の系列である。しかしながら、複数の基地局（セルサイト）を有する無線通信システムにおいて、同一のPSS系列が異なるセル間で用いられた場合、SSS系列を周波数領域で同相合成をする際に用いるPSSのチャネル応答の推定精度が劣化するため、次式で表される系列長62の3つのZadoff-Chu系列が用いられる。【００１１】
【数１】
2018225190.tif 000003
式(1)において、変数Mは、3つのセルID番号=0,1,2に対応して、25、29及び34の値をとるルート値（root index）である。LTEでは、504個のPCIDが規定されている。504個のPCIDは、168個のセルIDグループと、1セルIDグループ内の3個のセルIDに分割される。式(1)の3つのPSS系列は、セルサイト（基地局）に相当するセルIDグループ内の3つのセルID番号に対応している。SSS系列は、168個のセルIDグループを表す。【００１２】
通常、3セル（セクタ）構成のマクロセルでは同一セルサイト内の3セルに、3種類のPSS系列を与えられる。一方、マクロセルのセル内に、屋内小セルを設置した場合、屋内小セルに対するPSS系列の割り当て法には、何通りかの方法が考えられる。一例として、マクロセルの各セルに設置したホットゾーンビル内の小セルクラスタには、オーバーレイしたマクロセルのPSS系列とは異なるPSS系列を与える方法がある。この場合、小セルクラスタ内の全ての小セルには共通のPSS系列を割り当てる。【００１３】
ここで、キャリア周波数が2GHzであるマクロセルと、キャリア周波数が3.5GHzである小セルとから構成されるヘテロジーニアスネットワークを仮定する。キャリア周波数が3.5GHzのように高くなると、UEの温度補償水晶発振器（TCXO：Temperature Compensated Crystal Oscillator）の周波数誤差に起因する周波数オフセットが2GHzのキャリア周波数に比較して増大する。ここで、周波数オフセットとは、基地局から送信される実際の無線信号の周波数と、UEのTCXOから出力される同期信号に基づいて生成される周波数（UE自身が認識している周波数）とのずれを意味する。一方、PSS及びSSSは、UEが基地局と無線リンクを接続する最初の物理チャネルである。つまり、PSS及びSSSを用いる初期セルサーチは、UEのTCXOの発振周波数が自動周波数制御（AFC：Automatic Frequency Control）により基地局の周波数に追従する前に行わなければならない。従って、3.5GHzのキャリア周波数を用いる小セルでは、UEの周波数オフセットが初期セルサーチ時間に与える影響が、2GHzのキャリア周波数を用いるマクロセルに比較して大きくなる。【００１４】
例えば、UEのTCXOの自走モードの周波数誤差が3ppmであると仮定した場合、2GHzのキャリア周波数の場合には、周波数オフセットは6kHz程度である。一方、キャリア周波数が3.5GHzの場合には、周波数オフセットは、10.5kHzにまで増大してしまう。【００１５】
図３にPSS系列の周波数オフセットに対する相関電力を示す。なお、縦軸は自己相関であるが、ここでは相関電力に読み替えている。図３において、式(1)で生成されるZadoff-Chu系列のルート値は25である。横軸は、送信機と受信機間の周波数オフセットを示す。周波数オフセットが大きくなるに従って、送信機で生成したZadoff-Chu系列と受信機でのZadoff-Chu系列レプリカとのタイミングがずれるため、相関電力が減少してしまう。図３より、周波数オフセットが、8kHz程度で、時間シフト（周波数オフセット）が無い場合の相関電力の半分程度の相関電力になることが分かる。【００１６】
図４に周波数オフセット（7.5kHz）に起因する時間シフトがある場合のPSS系列の相関電力を示す。図５に周波数オフセット（8.5kHz）に起因する時間シフトがある場合のPSS系列の相関電力を示す。図６に周波数オフセット（10.5kHz）に起因する時間シフトがある場合のPSS系列の相関電力を示す。なお、図４〜図６に示すPSS系列のルート値は25である。図４〜図６において、正しい受信タイミング（UEが検出すべきPSSの受信タイミング）は、受信タイミングが3324である位置になる。【００１７】
図４より、周波数オフセットΔfが7.5kHzの場合には、PSSの相関電力のピークが正しい受信タイミングに対応している。しかし、図５に示すように、周波数オフセットΔfが8.5kHzの場合には、相関電力のピークが低減し、2番目の相関電力に非常に近くなっている。すなわち、正しいPSSの受信タイミングにおける相関電力は、図４の場合に比較して低くなっている。さらに、図６に示すように、周波数オフセットΔfが10.5kHzの場合（キャリア周波数が3.5GHzの場合、3ppmの周波数誤差に相当）には、正しいPSSの受信タイミングで最大の相関電力が得られていない。従って、PSSの受信タイミングの誤検出が生じてしまう。【００１８】
そこで、非特許文献２では、ヘテロジーニアスネットワークにおいて、小セルのキャリア周波数が高くなった場合のPSSの誤検出を低減する方法（2ステップの周波数オフセット推定に基づくセルサーチ法）が提案されている。図７に2ステップの周波数オフセット推定に基づくセルサーチ法の処理フローを示す。この方法は、周波数オフセットが小さい場合には、正しいPSSの受信タイミングで最大相関電力が得られるため、高いPSSの検出確率を実現できる点に着目する。まず、fc_Macro=2GHzのキャリア周波数を用いるマクロセルからのPSS信号を用いてUEのTCXOの自走モードの周波数誤差εを測定する。図４〜図６に示すように、LTE無線インタフェースで規定されているルート値のZadoff-Chu系列は、周波数オフセットが8.5kHz程度以下の場合には、PSSの受信タイミング、すなわちゼロ時間シフトの自己相関が最大相関ピークを与える。従って、UEはPSSの最大相関ピークを検出することができる（Ｓ１０１）。そして、PSS系列の自己相関の内積により求めた位相回転量からマクロセルの周波数オフセットを高精度に求めることができる（Ｓ１０２）。推定したマクロセルの周波数オフセット値【００１９】
【数２】
2018225190.tif 000004
からTCXOの周波数誤差を次式によって推定する。【００２０】
【数３】
2018225190.tif 000005
UEが1つのTCXOを有する構成の場合、TCXOの周波数誤差の推定値から、小セルの高いキャリア周波数fc_Smallにおける周波数オフセットを次式によって推定できる（Ｓ１０３）。【００２１】
【数４】
2018225190.tif 000006
この周波数オフセットの推定値を用いて、小セルでは、周波数オフセットを補償（Ｓ１０４）したPSSの受信信号とPSS信号レプリカとの相関からPSSの受信タイミングを推定する（Ｓ１０５）。小セルでは、周波数オフセットを補償した受信信号に対して、PSS系列レプリカとの相関を計算するため、平均受信電力が最大の小セルからのPSSの受信タイミングを高精度に推定することができ、PSS検出確率の劣化を大幅に改善できる。図７のセルサーチ法では、さらに、小セルから送信されたPSSの部分相関を用いて、直接、周波数オフセットを推定することにより、残留周波数オフセット【００２２】
【数５】
2018225190.tif 000007
を推定することができる（Ｓ１０６）。【００２３】
その後、それぞれマクロセル及び小セルにおいて受信したPSS及びSSSを含む受信信号の周波数オフセットを補償した後（Ｓ１０７及びＳ１０８）、PSS相関ピークが大きい方のセルが接続すべきセルであると判断する（Ｓ１０９）。ここで、小セルの周波数オフセットの補償には、次式のように、Ｓ１０３において推定した小セルの周波数オフセットと、Ｓ１０６において推定した残留周波数オフセットとを用いる。【００２４】
【数６】
2018225190.tif 000008
選択したセルのPSS及びSSSを高速フーリエ変換（FFT）により周波数領域の信号に変換し（Ｓ１１０）、SSS系列の相関検出に基づいてセルIDグループ及び無線フレームタイミングを検出する（Ｓ１１１）。【００２５】
図７に示すセルサーチ法を用いることにより、小セルが高いキャリア周波数を用いる場合でも、PSSの受信タイミング及びPSS系列を高精度に推定することができる。しかし、図７のセルサーチ法では、UEは、まず、マクロセルから送信されたPSSを検出し、周波数オフセットを推定する必要がある。実際のセルラシステムでは、例えば、大規模な地下街、大きなビルの中の会議室、ホールなどでは、屋外のマクロセルから送信された受信信号レベルが、必ずしも高くない場合が存在する。すなわち、マクロセルからの電波の受信レベルが低い環境が存在する。このような環境では、マクロセルにおける推定精度が低下し、その結果、小セルにおける推定精度も低下するという問題がある。なお、このような問題は、マクロセル及び小セルで構成されるヘテロジーニアスネットワークに限らず、異なるキャリア周波数が用いられるネットワークにおいて生じ得る。【００２６】
本発明は、異なるキャリア周波数が用いられるネットワークにおいて、キャリア周波数が低い方のセルにおける同期信号の推定結果に依存せず、キャリア周波数が高い方のセルにおいて同期信号を適切に検出することを目的とする。
【課題を解決するための手段】
【００２７】
本発明の一形態に係るユーザ端末は、
第１のキャリア周波数を用いる第１のセルと、当該第１のキャリア周波数より高い第２のキャリア周波数を用いる第２のセルとを有する無線通信システムにおいて用いられるユーザ端末であって、
前記第１のセルに用いられる第１の主同期信号と、前記第２のセルに用いられる第２の主同期信号とを受信する受信部と、
前記第１の主同期信号と前記第１の主同期信号のレプリカ信号との相関電力から、前記第１の主同期信号の受信タイミングを推定し、前記第１の主同期信号の系列を推定する第１の相関検出部と、
前記第２の主同期信号と、前記第２の主同期信号の挿入間隔だけ遅延した信号との相関電力から、前記第２の主同期信号の受信タイミングを推定する第２の相関検出部と、
前記第１の主同期信号の受信タイミングに基づいて、前記第１のセルの周波数オフセットを推定する第１の周波数オフセット推定部と、
前記第２の主同期信号の受信タイミングに基づいて、前記第２のセルの周波数オフセットを推定し、前記第２の主同期信号の系列を推定する第２の周波数オフセット推定部と、
を有することを特徴とする。
【発明の効果】
【００２８】
本発明によれば、異なるキャリア周波数が用いられるネットワークにおいて、キャリア周波数が低い方のセルにおける同期信号の推定結果に依存せず、キャリア周波数が高い方のセルにおいて同期信号を適切に検出することが可能になる。
【図面の簡単な説明】
【００２９】
【図１】時間領域のPSS及びSSSの多重構成を示す図である。
【図２】周波数領域のPSS及びSSSの多重構成を示す図である。
【図３】PSS系列の周波数オフセットに対する相関電力を示す図である。
【図４】周波数オフセット（7.5kHz）に起因する時間シフトがある場合のPSS系列の相関電力を示す図である。
【図５】周波数オフセット（8.5kHz）に起因する時間シフトがある場合のPSS系列の相関電力を示す図である。
【図６】周波数オフセット（10.5kHz）に起因する時間シフトがある場合のPSS系列の相関電力を示す図である。
【図７】2ステップの周波数オフセット推定に基づくセルサーチ法の処理フローを示す図である。
【図８】本発明の実施例に係る無線通信システムの構成例を示す図である。
【図９】本発明の実施例に係るユーザ端末の機能構成例を示す図である。
【図１０】本発明の実施例に係るセルサーチ法の処理フローを示す図である。
【図１１】第２のPSS相関検出法の概要を示す図である。
【図１２】低いキャリア周波数を用いるマクロセルにおける第１の周波数オフセット推定法の変形例を示す図である。
【図１３】SSS系列生成法の具体例を示す図である。
【図１４】セルサーチ法の処理フローを示す図である。
【図１５】本発明の実施例に係るセルサーチ法を用いた場合の初期セルサーチ時間特性を示す図である。
【図１６】本発明の実施例に係る無線通信装置のハードウェア構成の一例を示す図である。
【発明を実施するための形態】
【００３０】
以下、本発明の実施の形態について、図面を参照して詳細に説明する。なお、以下で説明する実施例は一例に過ぎず、本発明が適用される実施例は、以下の実施例に限られるわけではない。例えば、本実施例に係る無線通信システムはLTEに準拠したシステムを想定しているが、本発明はLTEに限定されるわけではなく、同期信号を用いてPCIDを検出する他の方式にも適用可能である。
【００３１】
＜システム構成＞
図８は、本発明の実施例に係る無線通信システムの構成例を示す概略図である。図８に示すように、本発明の実施例に係る無線通信システムは、マクロセルを形成する基地局eNBと、屋外又は屋内小セルを形成する基地局RRHと、ユーザ端末UEとを有する。図８の例では、1つの基地局eNB、1つのRRH及び1つのユーザ端末UEが図示されているが、複数の基地局eNBを有していてもよいし、複数のRRHを有していてもよいし、複数のユーザ端末UEを有していてもよい。
【００３２】
基地局eNBは、1つまたは複数（例えば、3つ）の（セクタとも呼ばれる）セルを収容することができる。基地局eNBが複数のセルを収容する場合、基地局eNBのカバレッジエリア全体は複数のより小さいエリアに区分でき、各々のより小さいエリアは、基地局サブシステム（例えば、屋内用の小型基地局RRH：Remote Radio Head）によって通信サービスを提供することもできる。「セル」または「セクタ」という用語は、このカバレッジにおいて通信サービスを行う基地局、および／または基地局サブシステムのカバレッジエリアの一部または全体を指す。さらに、「基地局」「ｅＮＢ」、「セル」、および「セクタ」という用語は、本明細書では互換的に使用され得る。基地局eNBは、固定局（fixed station）、NodeB、eNodeB（eNB）、アクセスポイント（access point）、フェムトセル、スモールセルなどの用語で呼ばれる場合もある。
【００３３】
小セルを形成する基地局RRHは、アナログ無線回路で構成される無線機でもよい。RRHはマクロセルを形成する基地局eNBと光ファイバ等で接続され、基地局eNBにおいて小セルのベースバンド処理が行われてもよい。説明の便宜上、小セルを形成する基地局をRRHとして図示しているが、小セルを形成する基地局においてマクロセルを形成する基地局eNBと同様のベースバンド処理を行うことも可能である。
【００３４】
ユーザ端末UEは、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【００３５】
以下の説明では、マクロセルと小セルが異なる周波数スペクトルを用いる場合のヘテロジーニアスネットワークを例に挙げて説明するが、本発明は、マクロセルと小セルとで構成されるヘテロジーニアスネットワークに限定されず、複数のセルにおいて異なる周波数スペクトルが用いられる如何なるネットワークにも適用可能である。説明の便宜上、小セルにはマクロセルよりも高いキャリア周波数が設定されていると仮定する。例えば、マクロセルは高カバレッジエリアを実現するために、800MHz帯〜2GHz帯の周波数スペクトルを用いることを仮定する。一方、小セルは、高速データレートサービスを適用するために広帯域幅の周波数が確保できる2GHz帯よりも高いマイクロ波、ミリ波の周波数スペクトルを用いることを仮定する。
【００３６】
LTEをベースにした無線通信システムでは、下りリンクについては直交周波数分割多重アクセス（OFDMA：Orthogonal Frequency Division Multiple Access）が採用され、上りリンクについてはシングルキャリア周波数分割多重アクセス（SC-FDMA：Single Carrier-Frequency Division Multiple Access）が採用されている。
【００３７】
UEは、eNBと通信するために、接続先のセルを探索するセルサーチを行う。マクロセル及び小セルで構成されるネットワークでは、UEは、マクロセル及び小セルの中で瞬時のフェージング変動を平均化した平均受信電力が最も大きなセルを検出する。セルサーチに用いられる信号は同期信号（SS：Synchronization Signal）と呼ばれ、PSS及びSSSの2種類の同期信号が用いられる。PSSは主にタイミング検出のために用いられ、例えば、FFTブロックタイミング、サブフレームタイミング、及び無線フレームタイミングを検出するために用いられる。SSSは主にセルIDの検出のために用いられる。
【００３８】
上記の信号は、例えば、時間領域及び周波数領域で構成されるリソースの所定の部分で送信される。無線フレームは時間領域において1つまたは複数のフレームで構成されてもよい。時間領域において1つまたは複数の各フレームはサブフレームと呼ばれてもよい。サブフレームは更に時間領域において1つまたは複数のスロットで構成されてもよい。スロットはさらに時間領域において1つまたは複数のシンボル（OFDMシンボル、SC-FDMAシンボル等）で構成されてもよい。無線フレーム、サブフレーム、スロット、およびシンボルは、いずれも信号を伝送する際の時間単位を表す。無線フレーム、サブフレーム、スロット、およびシンボルは、それぞれに対応する別の呼び方であってもよい。例えば、LTEシステムでは、基地局が各ユーザ端末に無線リソース（各ユーザ端末において使用することが可能な周波数帯域幅及び／又は送信電力等）を割り当てるスケジューリングを行う。スケジューリングの最小時間単位をTTI（Transmission Time Interval）と呼んでもよい。例えば、1サブフレームをTTIと呼んでもよいし、複数の連続したサブフレームをTTIと呼んでもよいし、1スロットをTTIと呼んでもよい。
【００３９】
リソースブロック（RB）は、時間領域および周波数領域のリソース割当単位であり、周波数領域では1つまたは複数個の連続した副搬送波（subcarrier）を含んでもよい。また、リソースブロックの時間領域では、1つまたは複数個のシンボルを含んでもよく、1スロット、1サブフレーム、または1TTIの長さであってもよい。1TTI、1サブフレームは、それぞれ1つまたは複数のリソースブロックで構成されてもよい。上述した無線フレームの構造は例示に過ぎず、無線フレームに含まれるサブフレームの数、サブフレームに含まれるスロットの数、スロットに含まれるシンボルおよびリソースブロックの数、および、リソースブロックに含まれるサブキャリアの数は様々に変更することができる。
【００４０】
以下、本発明の実施例に係るセルサーチ法について詳細に説明する。本発明の実施例では、マクロセルと小セルで異なる周波数スペクトルを用いるヘテロジーニアスネットワークにおいて、UEがマクロセル及び小セルの中で瞬時のフェージング変動を平均化した平均受信電力が最も大きなセルを検出するLTEの無線仕様で規定されたPSS及びSSSを用いる初期セルサーチ法を開示する。あるいは、マクロセルの電波の受信レベルが低く、小セルの電波しか受信できない環境においても適用可能な初期セルサーチ法を開示する。
【００４１】
＜ユーザ端末の構成及びセルサーチ法の概要＞
図９に本発明の実施例に係るユーザ端末１０の機能構成例を示す。ユーザ端末１０は、信号受信部１０１と、信号送信部１０２と、マクロセル相関検出部１０３と、マクロセル周波数オフセット推定部１０４と、マクロセル周波数オフセット補償部１０５と、小セル相関検出部１０６と、小セル周波数オフセット推定部１０７と、小セル周波数オフセット補償部１０８と、セル選択部１０９と、SSS系列検出部１１０とを有する。なお、図９は、セルサーチに関する機能部を示しており、他の機能部は示されてない。また、必ずしも図９に示す機能部の全てが含まれなくてもよい。
【００４２】
信号受信部１０１は、基地局から送信される無線信号を受信する。マクロセル及び小セルで構成されるネットワークにおいてセルサーチを行う場合、信号受信部１０１は、マクロセルのPSS及びSSSと、小セルのPSS及びSSSを受信する。
【００４３】
信号送信部１０２は、上位レイヤの情報から下位レイヤの信号を生成し、無線で送信する。
【００４４】
本発明の実施例に係るユーザ端末１０は、サーチするセルのキャリア周波数に応じて、異なるセルサーチ法を用いる。なお、キャリア周波数はユーザ端末１０にとって既知である（ユーザ端末１０自体が周波数シンセサイザで設定するため）。
【００４５】
予め決めておいたキャリア周波数よりも低いキャリア周波数のマクロセルをサーチする場合には、マクロセル相関検出部１０３は、第１のPSS相関検出法を用いる。第１のPSS相関検出法は、PSSを含む受信信号とPSSのレプリカ信号（PSS系列レプリカ）との相関電力を計算し、最大の相関電力（相関ピーク）を与えるタイミングをPSSの受信タイミングとして推定する方法である。マクロセル相関検出部１０３は、第１のPSS相関検出法により、PSSの受信タイミング及び3種類のPSS系列候補の中から、PSS系列を推定する。
【００４６】
続いて、マクロセル周波数オフセット推定部１０４は、第１の周波数オフセット推定法を用いて周波数オフセットを推定する。第１の周波数オフセット推定法は、検出したPSSの受信タイミングを用いて、PSSの受信FFTブロックとPSS系列レプリカの相互相関の前半部分と後半部分の部分相関から周波数オフセットに起因する位相回転量を推定し、推定したFFTブロックの半分の時間区間における位相回転量から周波数オフセットを推定する方法である。
【００４７】
マクロセル周波数オフセット補償部１０５は、マクロセル周波数オフセット推定部１０４において推定された周波数オフセット値を用いて、マクロセルにおいて受信したPSS及びSSSを含む受信信号の周波数オフセットを補償する。
【００４８】
一方、予め決めておいたキャリア周波数よりも高いキャリア周波数の小セルをサーチする場合には、小セル相関検出部１０６は、第２のPSS相関検出法を用いる。第２のPSS相関検出法は、PSSを含む受信信号とPSSの挿入間隔（すなわち、5ms）だけ遅延した信号との相関電力を計算する。すなわち、PSSの挿入間隔だけ遅延した（離れた）受信信号の自己相関を検出する。PSSの正しい受信タイミングでは、5msだけ遅延した受信信号の自己相関は、高い電力を与える。従って、5ms長の各サンプルタイミングにおける受信信号の最大の自己相関電力を与えるタイミングをPSSの受信タイミングとして検出する。
【００４９】
続いて、小セル周波数オフセット推定部１０７は、第２の周波数オフセット推定法を用いて周波数オフセットを推定する。第２の周波数オフセット推定法では、第２のPSS相関検出法で生成した自己相関値（相関電力が最大となるタイミングにおける自己相関値）の同相（I：In-phase）成分及び直交（Q：Quadrature）成分から、部分的な周波数オフセットΔfFracを推定する。しかし、自己相関値から計算できる周波数オフセットの値ΔfFracは、2つのPSSの挿入間隔の5ms区間において、その周波数オフセットに起因する位相回転が2π以下となる値である。周波数オフセットが大きい場合には、自己相関を計算した2つのPSSの挿入間隔の5ms区間において周波数オフセットに起因する位相回転が、2πを超えてしまう。従って、実際の周波数オフセット値は、自己相関値から推定した周波数オフセットに対して、2つのPSSの挿入間隔の5ms区間における位相回転が2πの整数倍になる不確定性、すなわち、Gfs/NPSS_Intの不確定性を生じる。ここで、Gは整数値、fsはサンプリング周波数、NPSS_Intは2つのPSSの挿入間隔の5ms区間のサンプル数である。PSSの受信信号に、ΔfFrac+Gfs/NPSS_Intで表わされる周波数オフセットを補償した信号を生成し、PSS系列レプリカとの相互相関を計算する。最尤検出により、相互相関電力を最大にするGの値を検出することにより、周波数オフセットΔfFrac+Gfs/NPSS_Intを推定する。同時に、3種類のPSS系列の候補の中から、PSS系列を推定する。
【００５０】
小セル周波数オフセット補償部１０８は、小セル周波数オフセット推定部１０７において推定された周波数オフセット値を用いて、小セルにおいて受信したPSS及びSSSを含む受信信号の周波数オフセットを補償する。
【００５１】
セル選択部１０９は、マクロセル及び小セルのうちPSS相関ピークが大きい方のセルが接続すべきセルであると判断し、そのセルを選択する。
【００５２】
SSS系列検出部１１０は、セル選択部１０９において選択されたセルのPSS及びSSSをFFTにより周波数領域の信号に変換し、SSS系列の相関検出に基づいてセルIDグループ及び無線フレームタイミングを検出する。具体的には、SSS系列検出部１１０は、周波数領域信号に変換されたPSSを用いて推定した各サブキャリア位置のチャネル応答の複素共役を対応するサブキャリア位置のSSSに乗算し、チャネル応答の推定値の複素共役を乗算された各サブキャリア位置のSSSに対して、予め決められた複数のSSS系列の候補の中のSSS系列を順番に相関電力を計算し、最大の相関電力を与えるSSS系列を検出する。
【００５３】
＜セルサーチ法の具体例＞
図１０に本発明の実施例に係るセルサーチ法の処理フローを示す。受信機には2アンテナの受信ダイバーシチを用い、アンテナ間のフェージング相関は無相関と仮定した。説明を簡略化するため1パスチャネルを仮定する。受信アンテナhにおける受信信号の離散値表示は次式で表される（h=0,1）。
【００５４】
【数７】
2018225190.tif 000009
式(2)において、nはサンプルインデックスを表わす。Iはセル数であり、キャリア周波数がfc_MacroHz(=2GHz)のマクロセル、fc_SmallHzの小セルに対して、それぞれマクロセル数IMacroあるいは小セル数ISmallに相当する。また、di(n)はセルiからのPSS及びSSSを含む送信信号、ξi(h)(n)は、セルiからの距離減衰、シャドウイング、フェージング変動を含むチャネル応答、τiはセルiからUEへの総合の遅延時間、Δfoffsetは周波数オフセット成分、w(h)(n)は平均0の雑音成分を表す。2ブランチの受信機で、τiの値は同じであると仮定した。TCXOの周波数誤差は初期セルサーチ時間内で一定であると仮定すると、キャリア周波数が異なるとΔfoffsetも異なる。従って、マクロセル及び小セルのΔfoffsetをそれぞれΔfMacro、ΔfSmallで表す。TCXOの自走モードの周波数誤差をε=3ppmと仮定すると、マクロセルのfc_Macro=2GHzのキャリア周波数における周波数オフセットはΔfMacro=6kHzになる。一方、小セルのfc_Smallが3.5GHz及び6GHzのとき、それぞれΔfSmall=10.5kHz及び18kHzになる。
【００５５】
まず、セルサーチ法におけるPSSの受信タイミング及びPSS系列の推定について説明する。
【００５６】
サーチすべきキャリア周波数は既知であるので、UEはサーチすべきキャリア周波数が予め決めたキャリア周波数より低いかを判断する（Ｓ２０１）。上記のように、低いキャリア周波数を用いるセルをマクロセルと仮定し、高いキャリア周波数を用いるセルを小セルと仮定する。
【００５７】
予め決めたキャリア周波数よりも低いキャリア周波数をサーチする場合には（Ｓ２０１：Ｙｅｓ）、マクロセル相関検出部１０３において第１のPSS相関検出法が用いられ、マクロセル周波数オフセット推定部１０４において第１の周波数オフセット推定法が用いられる。一方、予め決めたキャリア周波数よりも高いキャリア周波数をサーチする場合には（Ｓ２０１：Ｎｏ）、小セル相関検出部１０６において第２のPSS相関検出法が用いられ、小セル周波数オフセット推定部１０７において第２の周波数オフセット推定法が用いられる。
【００５８】
マクロセル相関検出部１０３は、3つのPSS系列に対して同時に受信信号とPSSレプリカとの時間領域の相関を計算し、遅延プロファイルを生成する。なお、図１に示すように、2つのPSSが無線フレーム内に多重される。1つのPSSだけの相関値では、フェージングで受信レベルが落ち込んだ場合に、正しいPSSの受信タイミング及びPSS系列の検出を見逃す可能性があるため、2つのPSSの相関値を合成することにより、時間ダイバーシチ効果によりPSSの見逃し確率を低減することができる。このため、10ms長の無線フレーム内の2つのPSSに相当する各受信タイミングにおける5ms長離れた相関値を電力加算平均する。さらに、2受信アンテナにおける相関値の2乗値を平均することにより、瞬時のフェージング変動の影響を低減する。マクロセル相関検出部１０３は、次式に示すように最大の相関値を与えるサンプルタイミングをパスロスが最も小さなセルからのPSSの受信タイミングとする。同時にセルIDグループ内の3種類の系列を求める（Ｓ２０２）。
【００５９】
【数８】
2018225190.tif 000010
式(3)において、
【００６０】
【数９】
2018225190.tif 000011
は推定されたマクロセルのPSSの受信タイミングであり、
【００６１】
【数１０】
2018225190.tif 000012
は推定されたマクロセルのPSS系列であり、nはサンプルインデックスであり、rMacro(h)は受信アンテナhで受信されるマクロセルの受信信号であり、dPSS(lMacro)(n)はNID(2)=lのPSS系列を表す（*は共役複素数を示す）。NPSS_Int=(NFFT+NCP)×NOFDM×NSbf/2は、PSSの挿入間隔に含まれるサンプル数である。ここで、NOFDM及びNSbfは、それぞれサブフレーム当りのFFTブロック数、10ms長の無線フレーム内のサブフレーム数である（NOFDM=14、NSbf=10である）。NFFTはFFTのサンプル数であり、NCPはサイクリックプレフィクスのサンプル数である。
【００６２】
マクロセル周波数オフセット推定部１０４は、推定したPSSの受信タイミングから、PSSの前半及び後半のNFFT/2(=256)のサンプル区間の受信信号とPSS系列レプリカとの相関を次式のように計算する。
【００６３】
【数１１】
2018225190.tif 000013
式(4a)及び(4b)の相関値から、PSSを多重したFFTブロックの前半及び後半のUEのTCXOの周波数誤差に起因する位相回転量を次式に示すように推定できる。
【００６４】
【数１２】
2018225190.tif 000014
前述のように、周波数オフセットがΔfMacro=6kHz程度に小さい場合には、式(5)の位相回転量の値は高精度に求めることができる。式(5)で推定した位相回転量の値から、マクロセルにおける周波数オフセットの推定値は、次式で求まる（Ｓ２０３）。
【００６５】
【数１３】
2018225190.tif 000015
図１１に小セル相関検出部１０６における第２のPSS相関検出法の概要を示す。図１１には、PSSを含む受信信号とPSSの挿入間隔（すなわち、5ms）だけ遅延した信号との相関電力を計算する様子が示されている。具体的には、小セル相関検出部１０６は、次式に示すようにPSSの挿入間隔に相当するサンプル値であるNPSS_Intだけ遅延した（離れた）信号のCPを含む1つのFFTブロック区間の自己相関ρSmall(h)を計算する。
【００６６】
【数１４】
2018225190.tif 000016
式(7)において、μSmallは小セルのPSSの受信タイミングであり、nはサンプルインデックスであり、rSmall(h)は受信アンテナhで受信される小セルの受信信号である。式(7)の自己相関値は複素の値であり、周波数オフセットの値に応じて、位相が変動する。そこで、式(7)の自己相関電力を求めて、次式に示すように自己相関電力を最大にするタイミングをPSSの受信タイミングとして検出する（Ｓ２０４）。
【００６７】
【数１５】
2018225190.tif 000017
次に、小セル周波数オフセット推定部１０７は、周波数オフセットを2ステップによって推定する。式(8)で検出したPSSの受信タイミングにおける自己相関の同相（I）成分及び直交（Q）成分から
【００６８】
【数１６】
2018225190.tif 000018
の範囲の部分的な周波数オフセットを次式で推定する。
【００６９】
【数１７】
2018225190.tif 000019
周波数オフセットが大きい場合には、式(7)の自己相関を計算した2つのPSSの5ms区間において周波数オフセットに起因する位相回転が、2πを超えてしまう。従って、式(9)で求めた部分的な周波数オフセットは、周波数オフセットに起因する位相回転が2π×Gになる不確定性を有する、すなわち、周波数オフセット値は、Gfs/NPSS_Intの不確定性を有する（Gは整数値）。従って、受信PSSに対して、G通りの周波数オフセット候補に対して周波数オフセットを補償した信号を次式のように生成する。
【００７０】
【数１８】
2018225190.tif 000020
G通りの周波数オフセットを補償したPSSの受信信号に対して、3種類のPSS系列レプリカとの相互相関を計算し、最尤判定により相互相関電力を最大にするGの値及びPSS系列を求める。
【００７１】
【数１９】
2018225190.tif 000021
式(9)及び(11)から、小セルにおける周波数オフセットを次式のように求める（Ｓ２０５）。
【００７２】
【数２０】
2018225190.tif 000022
上記のように、低いキャリア周波数（例えば、2GHz）のマクロセル及び高いキャリア周波数（例えば、3.5GHz）の小セルからのPSSの相関電力を独立に求めることができる。セル選択部１０９は、マクロセルにおいて受信電力が最大となるタイミングにおける式(3)の値と、小セルにおいて受信電力が最大となるタイミングにおける式(8)の値とを比較し、受信電力の大きい方のセルを選択する（Ｓ２０６）。このように、セル選択部１０９は、高いレベルの相関電力を有するキャリア周波数のセルからのPSSの受信タイミング
【００７３】
【数２１】
2018225190.tif 000023
を検出し、同一セルIDグループ内のセルID番号
【００７４】
【数２２】
2018225190.tif 000024
を検出する。
【００７５】
セル選択部１０９において選択されたセルがマクロセルあるいは小セルに応じて、マクロセル周波数オフセット補償部１０５及び小セル周波数オフセット補償部１０８は、時間領域のPSS及びSSSにそれぞれ
【００７６】
【数２３】
2018225190.tif 000025
の周波数オフセットを補償する（Ｓ２０７及びＳ２０８）。
【００７７】
ここでは小セルが選択されたと仮定する。従って、小セル周波数オフセット補償部１０８は、PSS及びSSSを含む受信信号の周波数オフセットを
【００７８】
【数２４】
2018225190.tif 000026
に示すように補償する。
【００７９】
その後、SSS系列検出部１１０は、Ｓ２０４で検出したPSSの受信タイミング
【００８０】
【数２５】
2018225190.tif 000027
を用いてPSS及びSSSの時間領域信号をFFTにより周波数領域信号に変換する（Ｓ２０９）。周波数領域のSSSは、
【００８１】
【数２６】
2018225190.tif 000028
で表わされる。ここで、
【００８２】
【数２７】
2018225190.tif 000029
は、SSSの受信タイミング、k'=0,…,NFFT-1である。さらに、(NFFT-K)個のサブキャリア信号を除去して、希望波信号のK個のサブキャリア信号を抽出する。説明上、インデックスk'を
【００８３】
【数２８】
2018225190.tif 000030
で表示する。
【００８４】
SSS系列検出部１１０は、PSSの周波数領域信号にPSS系列の複素共役を乗算することにより、各サブキャリア位置のチャネル応答を生成する。着目するサブキャリア位置のチャネル応答を中心として両側一定サブキャリア区間のチャネル応答を同相加算平均することにより、雑音成分の影響を低減する。SSSの周波数領域の受信信号に各サブキャリアのチャネル応答の複素共役を乗算し、さらにSSS系列レプリカの複素共役を乗算後、インタリーブ配置されたSSS系列#1（SSC1）及びSSS系列#2（SSC2）で独立に1サブキャリアおきに31サブキャリア分積分する。SSS系列#1及びSSS系列#2の相関値を同相加算し、スロット1及びスロット11のSSSの相関値を同相加算する。さらに、2受信アンテナの相関値を同相加算することにより、各SSS系列の相関値を求める。スロットvにおける周波数領域の奇数、偶数サブキャリア位置に多重するSSS系列をそれぞれ、dSSS1_v(nSSS)及びdSSS2_v(nSSS)で表わす（下付き添字vは、スロットインデックス1及び11を表す）。次式に示すように、最大相関値を与えるSSS系列のセットから、セルIDグループ及び無線フレームタイミングを同時に検出する（Ｓ２１０）。
【００８５】
【数２９】
2018225190.tif 000031
式(13)において、
【００８６】
【数３０】
2018225190.tif 000032
はそれぞれ、SSSが多重されているFFTブロックの受信信号の周波数領域信号、PSSを用いて推定した受信アンテナhのサブキャリアkにおけるチャネル応答の推定値を示す。
【００８７】
【数３１】
2018225190.tif 000033
＜第１の周波数オフセット推定法の変形例＞
図１２に低いキャリア周波数を用いるマクロセルにおける第１の周波数オフセット推定法の変形例を示す。PSSのサンプル数は、逆FFT（IFFT）およびFFTのサイズに対応している。基地局（セルサイト）のシステム帯域幅（送信帯域幅）に応じて、IFFTおよびFFTのサイズが決まる。例えば、5MHz、10MHz、20MHzのシステム帯域幅の場合、IFFTおよびFFTのサイズは、それぞれ、NFFT=512、1024、2048である。周波数オフセットは、PSSの部分相関の内積によって求める。FFTのサイズが、NFFT = 512、PSS区間を1ブロックとした場合の周波数オフセットの計算法は、前述の式(4)及び(5)に示す。
【００８８】
PSS区間のブロック数を多くするに従って、短い時間区間における位相回転を推定できるため、測定できる周波数オフセットの精度（分解能）は向上する。しかし、部分相関を計算する区間が短くなるため、部分相関値における雑音の影響は大きくなる。
【００８９】
PSS区間をQブロックに分割した、ブロックq（0≦q＜Q）における部分相関ピークは次式で表される。
【００９０】
【数３２】
2018225190.tif 000034
マクロセル周波数オフセット推定部１０４は、式(14a)及び(14b)の相関値から、UEのTCXOの周波数誤差に起因する位相回転量を次式に示すように推定できる。
【００９１】
【数３３】
2018225190.tif 000035
＜SSS系列の生成法及びセルサーチ法の具体例＞
図１３に基地局におけるSSS系列生成法の具体例を示す。SSS系列は、セルサイトに相当するセルIDグループを表す。10ms長の無線フレーム内の2か所のSSS多重FFTブロックに異なるSSS系列を割り当てることにより、セルIDグループと同時に無線フレームタイミングを検出する。SSS系列には、受信信号とSSS系列レプリカとの相関検出の演算量を低減するために2値のM系列が用いられる。系列長が31の異なる生成多項式から生成した2種類のM系列
【００９２】
【数３４】
2018225190.tif 000036
を用いて、次式で示す系列長62の2種類のSSS系列#1及び#2を生成する。ここで、系列インデックスnSSSは0≦nSSS≦30である。
【００９３】
【数３５】
2018225190.tif 000037
式(16a)及び(16b)において、s0(m0)(nSSS)及びs1(m1)(nSSS)は、第1のM系列
【００９４】
【数３６】
2018225190.tif 000038
を巡回シフトして生成された系列であり、それぞれ
【００９５】
【数３７】
2018225190.tif 000039
で表される。同様にz1(m0)(nSSS)及びz1(m1)(nSSS)は、第2のM系列
【００９６】
【数３８】
2018225190.tif 000040
を巡回シフトして生成された系列である。また、巡回シフトインデックスを示すパラメータm0及びm1は、それぞれ
【００９７】
【数３９】
2018225190.tif 000041
で与えられる。ここで、
【００９８】
【数４０】
2018225190.tif 000042
である（NID(1)はセルIDグループインデックスを表す）。従って、セルIDグループからSSS系列を生成するm0及びm1を生成する。また、c0(nSSS)及びc1(nSSS)は、系列長31のM系列から構成されるPSS系列固有のスクランブル系列である。
【００９９】
図１４に、セルサーチ法の処理フローを示す。図１４のセルサーチ法はLTEにおいて用いられるセルサーチ法を示しており、図１０に示す本発明の実施例のセルサーチ法もLTEのセルサーチ法に基づいている。
【０１００】
セルサーチの第１ステップにおいて、ユーザ端末は、PSSを含む受信信号とPSS系列レプリカとの時間領域の相関を計算し、最も受信電力の大きな相関値のタイミングを、セルサイトから送信されたPSSの受信タイミングとして検出する（Ｓ３０１）。そして第2ステップにおいて、ユーザ端末は、受信したSSSとSSS系列レプリカとの周波数領域の相関を計算することにより、最大相関を与えるSSS系列のセットの組み合わせから、セルIDグループ（基地局のIDに相当）及び無線フレームタイミングを検出する（Ｓ３０２）。
【０１０１】
＜本発明の実施例の効果＞
本発明の実施例によれば、異なるキャリア周波数が用いられるネットワークにおいて、キャリア周波数が低い方のセルにおける同期信号の推定結果に依存せず、キャリア周波数が高い方のセルにおいて同期信号を適切に検出することが可能になる。例えば、マクロセルからの電波の受信レベルが低い環境においても、小セルにおいて同期信号を適切に検出することができる。
【０１０２】
さらに、PSSの相関電力がセル毎に独立に求められるため、以降の周波数オフセット推定、周波数オフセット補償及びSSS系列の検出は受信電力が最も大きなセルに関してのみ行うことが可能になる。
【０１０３】
また、マクロセルにおけるPSS区間を分割して周波数オフセットを推定することにより、推定精度を向上させることができる。
【０１０４】
図１５に、本発明の実施例に係るセルサーチ法を用いた場合のセルIDの検出確率が95%を実現するための初期セルサーチ時間特性を示す。横軸は、UEのTCXOの周波数誤差が3ppmを仮定した場合の小セルの周波数オフセットに対応するキャリア周波数を示す。図中、比較のため、従来のセルサーチ法を用いた場合の特性も示す。ここで、従来のセルサーチ法は、マクロセル、小セルともに、第１のPSS相関検出法及び第１の周波数オフセット推定法を用いた場合の特性である。
【０１０５】
表１にシミュレーション諸元を示す。
【０１０６】
【表１】
2018225190.tif 000043
表中に示すように、マクロセルは、3セルから構成される19セルサイト構成を仮定した。マクロセルのサイト間距離（ISD：Inter-Site Distance）は1732mとした。中央のマクロセルサイトの各セルにホットゾーンビルディングを配置し、その中の天井高が6 mのフロアに屋内小セルクラスタを設定した。小セルクラスタの中心とマクロセルサイト間の距離を700mとした。小セルクラスタ当たり4セルサイトを横方向はビルの左端から15m、45m、75m及び105m、縦方向はロングホールの中央位置に設置した。マクロセルサイト間は非同期運用を仮定し、小セルクラスタ間及びクラスタ内の小セル間は同期運用を仮定した。マクロセルとその内部に設置された小セル間は、理想的なバックホールで接続されていると仮定した。
【０１０７】
マクロセルと小セルの基地局の全送信電力はそれぞれ、43dBm及び21dBmとした。対応する基地局のアンテナ利得は、それぞれ17dBi及び5dBiとした。距離減衰、対数正規分布に従うシャドウイング変動のパラメータは表中に示す。伝搬パスモデルは、マクロセルでは、ITU 9パスExtended Typical Urban（ETU）チャネルモデルを、小セルでは、ITU indoorチャネルモデルを仮定した。UEの位置の割り当ては、19マクロセルの中央のマクロセル内において、全UEの2/3を屋内小セル内に、1/3をマクロセル全体に均一にランダムに割り当てた。正検出のセルは、UEの割り当て位置に対して距離減衰、及びシャドウイング変動に起因する伝搬ロスが最も小さな、すなわち瞬時のフェージング変動を平均した最も大きな平均受信電力を与えるセルの受信レベルから3dB以内の平均受信電力を与えるセルサイトのセルと定義した。
【０１０８】
図１５より、従来法を用いた場合の初期セルサーチ時間は、小セルのキャリア周波数が、fc_Small=3.2GHz程度以上になると、急激に増大している。この理由は、小セルにおいて周波数オフセットの増大に起因してPSSの受信タイミング及びPSS系列の誤検出が増大し、その結果、PCIDの誤検出が増大するためである。一方、本発明の実施例に係るセルサーチ法では、小セルのキャリア周波数が12GHz程度までの範囲において、95%のセルID検出確率を実現するためのセルサーチ時間が100ms以下の高速初期セルサーチを実現できていることが分かる。
【０１０９】
＜ハードウェア構成＞
なお、上記実施例の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【０１１０】
例えば、本発明の一実施例におけるユーザ端末１０などは、本発明のセルサーチ方法の処理を行うコンピュータとして機能してもよい。図１６は、本発明の実施例に係るユーザ端末１０である無線通信装置のハードウェア構成の一例を示す図である。上述のユーザ端末１０は、物理的には、プロセッサ１００１、メモリ１００２、ストレージ１００３、通信装置１００４、入力装置１００５、出力装置１００６、バス１００７などを含むコンピュータ装置として構成されてもよい。
【０１１１】
なお、以下の説明では、「装置」という文言は、回路、デバイス、ユニットなどに読み替えることができる。ユーザ端末１０のハードウェア構成は、図に示した各装置を１つ又は複数含むように構成されてもよいし、一部の装置を含まずに構成されてもよい。
【０１１２】
ユーザ端末１０における各機能は、プロセッサ１００１、メモリ１００２などのハードウェア上に所定のソフトウェア（プログラム）を読み込ませることで、プロセッサ１００１が演算を行い、通信装置１００４による通信、及び／又は、メモリ１００２及びストレージ１００３におけるデータの読み出し及び／又は書き込みを制御することで実現される。
【０１１３】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central Processing Unit）で構成されてもよい。例えば、上述のユーザ端末１０のマクロセル相関検出部１０３、マクロセル周波数オフセット推定部１０４、マクロセル周波数オフセット補償部１０５、小セル相関検出部１０６、小セル周波数オフセット推定部１０７、小セル周波数オフセット補償部１０８、セル選択部１０９、SSS系列検出部１１０などは、プロセッサ１００１で実現されてもよい。
【０１１４】
また、プロセッサ１００１は、プログラム（プログラムコード）、ソフトウェアモジュール及び／又はデータを、ストレージ１００３及び／又は通信装置１００４からメモリ１００２に読み出し、これらに従って各種の処理を実行する。プログラムとしては、上述の実施例で説明した動作の少なくとも一部をコンピュータに実行させるプログラムが用いられる。例えば、ユーザ端末１０のマクロセル相関検出部１０３、マクロセル周波数オフセット推定部１０４、マクロセル周波数オフセット補償部１０５、小セル相関検出部１０６、小セル周波数オフセット推定部１０７、小セル周波数オフセット補償部１０８、セル選択部１０９、SSS系列検出部１１０などは、メモリ１００２に格納され、プロセッサ１００１で動作する制御プログラムによって実現されてもよく、他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【０１１５】
メモリ１００２は、コンピュータ読み取り可能な記録媒体であり、例えば、ＲＯＭ（Read Only Memory）、ＥＰＲＯＭ（Erasable Programmable ＲＯＭ）、ＥＥＰＲＯＭ（Electrically Erasable Programmable ＲＯＭ）、ＲＡＭ（Random Access Memory）などの少なくとも１つで構成されてもよい。メモリ１００２は、レジスタ、キャッシュ、メインメモリ（主記憶装置）などと呼ばれてもよい。メモリ１００２は、本発明の一実施例に係るセルサーチ方法を実施するために実行可能なプログラム（プログラムコード）、ソフトウェアモジュールなどを保存することができる。
【０１１６】
ストレージ１００３は、コンピュータ読み取り可能な記録媒体であり、例えば、ＣＤ−ＲＯＭ（Compact Disc ＲＯＭ）などの光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【０１１７】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、上述のユーザ端末１０の信号受信部１０１、信号送信部１０２などは、通信装置１００４で実現されてもよい。
【０１１８】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【０１１９】
また、プロセッサ１００１及び／又はメモリ１００２などの各装置は、情報を通信するためのバス１００７で接続される。バス１００７は、単一のバスで構成されてもよいし、装置間で異なるバスで構成されてもよい。
【０１２０】
また、ユーザ端末１０は、マイクロプロセッサ、デジタル信号プロセッサ（ＤＳＰ：Digital Signal Processor）、ＡＳＩＣ（Application Specific Integrated Circuit）、ＰＬＤ（Programmable Logic Device）、ＦＰＧＡ（Field Programmable Gate Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【０１２１】
＜補足＞
本明細書で説明した各態様／実施例は、ＬＴＥ（Long Term Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future Radio Access）、Ｗ−ＣＤＭＡ（登録商標）、ＧＳＭ（登録商標）、ＣＤＭＡ２０００、ＵＭＢ（Ultra Mobile Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【０１２２】
本明細書で使用する「システム」および「ネットワーク」という用語は、互換的に使用される。
【０１２３】
本明細書において基地局によって行われるとした特定動作は、場合によってはその上位ノード（upper node）によって行われることもある。基地局を有する１つまたは複数のネットワークノード（network nodes）から構成されるネットワークにおいて、端末との通信のために行われる様々な動作は、基地局および／または基地局以外の他のネットワークノード（例えば、ＭＭＥまたはＳ−ＧＷなどが考えられるが、これらに限られない）によって行われ得ることは明らかである。上記において基地局以外の他のネットワークノードが１つである場合を例示したが、複数の他のネットワークノードの組み合わせ（例えば、ＭＭＥおよびＳ−ＧＷ）であってもよい。
【０１２４】
情報等は、上位レイヤ（または下位レイヤ）から下位レイヤ（または上位レイヤ）へ出力され得る。複数のネットワークノードを介して入出力されてもよい。
【０１２５】
入出力された情報等は特定の場所（例えば、メモリ）に保存されてもよいし、管理テーブルで管理してもよい。入出力される情報等は、上書き、更新、または追記され得る。出力された情報等は削除されてもよい。入力された情報等は他の装置へ送信されてもよい。
【０１２６】
判定は、１ビットで表される値（０か１か）によって行われてもよいし、真偽値（Boolean：trueまたはfalse）によって行われてもよいし、数値の比較（例えば、所定の値との比較）によって行われてもよい。
【０１２７】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１２８】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【０１２９】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１３０】
なお、本明細書で説明した用語及び／又は本明細書の理解に必要な用語については、同一の又は類似する意味を有する用語と置き換えてもよい。例えば、チャネル及び／又はシンボルは信号（シグナル）であってもよい。また、信号はメッセージであってもよい。また、コンポーネントキャリア（ＣＣ）は、キャリア周波数、セルなどと呼ばれてもよい。
【０１３１】
また、本明細書で説明した情報、パラメータなどは、絶対値で表されてもよいし、所定の値からの相対値で表されてもよいし、対応する別の情報で表されてもよい。例えば、無線リソースはインデックスで指示されてもよい。
【０１３２】
上述したパラメータに使用する名称はいかなる点においても限定的に解釈されるべきではない。さらに、これらのパラメータを使用する数式等は、本明細書で明示的に開示した数式等と異なる場合もある。様々なチャネル（例えば、ＰＵＣＣＨ、ＰＤＣＣＨなど）及び情報要素（例えば、ＴＰＣなど）は、あらゆる好適な名称によって識別できるので、これらの様々なチャネル及び情報要素に割り当てている様々な名称は、いかなる点においても限定的に解釈されるべきではない。
【０１３３】
本明細書で使用する「判断(determining)」、「決定(determining)」という用語は、多種多様な動作を包含する場合がある。「判断」、「決定」は、例えば、計算(calculating)、算出(computing)、処理(processing)、導出(deriving)、調査(investigating)、探索(looking up)（例えば、テーブル、データベースまたは別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。
【０１３４】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１３５】
本明細書で使用する「第１の」、「第２の」などの呼称を使用した要素へのいかなる参照も、それらの要素の量または順序を全般的に限定しない。これらの呼称は、２つ以上の要素間を区別する便利な方法として本明細書で使用され得る。したがって、第１および第２の要素への参照は、２つの要素のみがそこで採用され得ること、または何らかの形で第１の要素が第２の要素に先行しなければならないことを意味しない。
【０１３６】
「含む（include）」、「含んでいる（including）」、およびそれらの変形が、本明細書あるいは請求の範囲で使用されている限り、これら用語は、用語「備える（comprising）」と同様に、包括的であることが意図される。さらに、本明細書あるいは請求の範囲において使用されている用語「または（or）」は、排他的論理和ではないことが意図される。
【０１３７】
本明細書で説明した各態様／実施例の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０１３８】
本明細書で説明した各態様／実施例は単独で用いてもよいし、組み合わせて用いてもよいし、実行に伴って切り替えて用いてもよい。また、所定の情報の通知（例えば、「Ｘであること」の通知）は、明示的な通知に限られず、暗黙的（例えば、当該所定の情報の通知を行わない）ことによって行われてもよい。
【０１３９】
以上、本発明について詳細に説明したが、当業者にとっては、本発明が本明細書中に説明した実施例に限定されないということは明らかである。本発明は、請求の範囲の記載により定まる本発明の趣旨及び範囲を逸脱することなく修正及び変更態様として実施することができる。したがって、本明細書の記載は、例示説明を目的としており、本発明に対して何ら制限的な意味を有さない。
【符号の説明】
【０１４０】
１０  ユーザ端末
１０１  信号受信部
１０２  信号送信部
１０３  マクロセル相関検出部
１０４  マクロセル周波数オフセット推定部
１０５  マクロセル周波数オフセット補償部
１０６  小セル相関検出部
１０７  小セル周波数オフセット推定部
１０８  小セル周波数オフセット補償部
１０９  セル選択部
１１０  SSS系列検出部
【図１】
2018225190.tif 000044
【図２】
2018225190.tif 000045
【図３】
2018225190.tif 000046
【図４】
2018225190.tif 000047
【図５】
2018225190.tif 000048
【図６】
2018225190.tif 000049
【図７】
2018225190.tif 000050
【図８】
2018225190.tif 000051
【図９】
2018225190.tif 000052
【図１０】
2018225190.tif 000053
【図１１】
2018225190.tif 000054
【図１２】
2018225190.tif 000055
【図１３】
2018225190.tif 000056
【図１４】
2018225190.tif 000057
【図１５】
2018225190.tif 000058
【図１６】
2018225190.tif 000059
【国際調査報告】
2018225190.tif 000060
2018225190.tif 000061
2018225190.tif 000062
2018225190.tif 000063